(57)【要約】【課題】  複数のセットの印刷設定を少ない手間で行うことができ、使い勝手を向上させることが可能な画像処理装置を提供する。【解決手段】  画像データの入力を受け付ける画像データ入力部と、印刷設定を複数記憶する印刷設定記憶部と、印刷設定を参照し、第一の印刷設定を呼び出し、第一の部単位印刷設定を設定するとともに、第二の印刷設定を呼び出し、第二の部単位印刷設定を設定する印刷設定管理部と、画像データと第一の部単位印刷設定と第一の部数とを用いて第一の印刷データを生成するとともに、画像データと第二の部単位印刷設定と第二の部数とを用いて第二の印刷データを生成する印刷データ生成部と、第一の印刷データと第二の印刷データとを出力する通信部とを備えることを特徴とする画像処理装置。【選択図】  図１
2015095166.tif 000002
【特許請求の範囲】
【請求項１】
画像データの入力を受け付ける画像データ入力部と、
印刷設定を複数記憶する印刷設定記憶部と、
前記印刷設定を参照し、第一の印刷設定を呼び出し、第一の部単位印刷設定を設定するとともに、第二の印刷設定を呼び出し、第二の部単位印刷設定を設定する印刷設定管理部と、
前記画像データと前記第一の部単位印刷設定と第一の部数とを用いて第一の印刷データを生成するとともに、前記画像データと前記第二の部単位印刷設定と第二の部数とを用いて第二の印刷データを生成する印刷データ生成部と、
前記第一の印刷データと前記第二の印刷データとを出力する通信部とを備えることを特徴とする画像処理装置。
【請求項２】
前記第一の部単位印刷設定は優先パラメータと非優先パラメータとを有し、
前記第二の部単位印刷設定は非優先パラメータのみが参照されることを特徴とする請求項１記載の画像処理装置。
【請求項３】
前記第二の部単位印刷設定は前記第一の部単位印刷設定を参照することを特徴とする請求項１記載の画像処理装置。
【請求項４】
前記第二の部単位印刷設定は前記第一の部単位印刷設定の非優先パラメータのみを参照することを特徴とする請求項２記載の画像処理装置。
【請求項５】
前記第一の印刷設定と前記第二の印刷設定とを一つの関連する印刷設定履歴として記憶する印刷設定履歴記憶部を備えることを特徴とする請求項１記載の画像処理装置。
【請求項６】
前記第一の印刷データと前記第二の印刷データとに基づく画像を記録媒体に印刷する印刷部を備えることを特徴とする請求項１乃至請求項５の何れか１項記載の画像処理装置。
【発明の詳細な説明】
【技術分野】
【０００１】
本発明は、入力された画像データを加工して出力する画像処理装置に関するものである。
【背景技術】
【０００２】
例えば、コピー機、複合機といった画像形成装置、又はプリンタドライバを備えた画像処理装置において、複数部数の印刷を１セットとし、これを取りまとめて複数のセットとして扱い、セットごとに印刷設定を行うものがあるが知られている（例えば、特許文献１参照）。
【先行技術文献】
【特許文献】
【０００３】
【特許文献１】特開２０１０−５２３８６号公報
【発明の概要】
【発明が解決しようとする課題】
【０００４】
しかしながら、従来技術では、複数のセットの印刷設定を行うにあたり、操作の手間が非常に多くなってしまうため、操作が煩わしくなり、使い勝手が悪いといった問題があった。
【０００５】
本発明はこのような実状に鑑みてなされたものであり、本発明の課題は、複数のセットの印刷設定を少ない手間で行うことができ、使い勝手を向上させることが可能な画像処理装置を提供することである。
【課題を解決するための手段】
【０００６】
上記課題を解決するために、本発明に係る画像処理装置は、画像データの入力を受け付ける画像データ入力部と、印刷設定を複数記憶する印刷設定記憶部と、前記印刷設定を参照し、第一の印刷設定を呼び出し、第一の部単位印刷設定を設定するとともに、第二の印刷設定を呼び出し、第二の部単位印刷設定を設定する印刷設定管理部と、前記画像データと前記第一の部単位印刷設定と第一の部数とを用いて第一の印刷データを生成するとともに、前記画像データと前記第二の部単位印刷設定と第二の部数とを用いて第二の印刷データを生成する印刷データ生成部と、前記第一の印刷データと前記第二の印刷データとを出力する通信部とを備えることを特徴としている。
【発明の効果】
【０００７】
本発明によれば、複数のセットの印刷設定を少ない手間で行うことができ、使い勝手を向上させることが可能な画像処理装置を提供することができる。
【図面の簡単な説明】
【０００８】
【図１】第１の実施形態の物理的接続状態を説明するブロック図である。
【図２】ＰＣの機能構成を説明するための機能ブロック図である。
【図３】プリンタの機能構成を説明するための機能ブロック図である。
【図４】プリンタドライバの印刷設定管理部が有する印刷設定ダイアログの部数印刷設定画面の構成例の一例を説明する図である。
【図５】プリンタドライバの印刷設定管理部が有する印刷設定ダイアログのセット印刷設定画面の構成例の一例を説明する図である。
【図６】プリンタドライバの印刷設定管理部が有する印刷設定ダイアログのセット印刷設定画面の構成例の一例を説明する図である。
【図７】印刷設定履歴を参照するためのメニュー画面の構成例の一例である。
【図８】印刷履歴参照画面の構成例の一例である。
【図９】印刷設定履歴記憶部が記憶する印刷設定管理情報を説明する図である。
【図１０】印刷データ生成部の動作を説明するフローチャートである。
【図１１】プリンタが受信する印刷データの構造を説明する図である。
【図１２】印刷データ生成部が出力する印刷設定コードの構造を説明する図である。
【図１３】プリンタのセット印刷設定に関わるフローチャートである。
【図１４】プリンタドライバの印刷設定管理部が有する印刷設定ダイアログのセット印刷設定画面の構成例の一例を説明する図である。
【図１５】印刷設定履歴を参照するためのメニュー画面の構成例の一例である。
【図１６】プリンタが受信する印刷データの構造を説明する図である。
【発明を実施するための形態】
【０００９】
以下、本発明の実施形態について図面を参照して説明する。なお、本発明は以下の記述に限定されるものではなく、本発明の要旨を逸脱しない範囲において適宜変更可能である。
【００１０】
[第１の実施形態]
第１の実施形態の説明においては、本発明に係る画像処理装置としてのＰＣ（Personal Computer）１とプリンタ２とがネットワークを介して接続されて構築された画像形成システムについて説明する。
【００１１】
図１は、本実施形態に係る画像形成システムの物理的接続状態を説明するブロック図である。ＰＣ１は、ネットワーク９０を介してプリンタ２と接続されており、ＰＣ１とプリンタ２との間におけるデータの送受信が可能となるように構成されている。
【００１２】
まず、ＰＣ１の構成について説明する。図２は、ＰＣ１の機能構成を説明するための機能ブロック図である。
【００１３】
ＰＣ１は、印刷ジョブを管理する印刷管理部１１と、例えば、文書や図表といったドキュメントの作成、編集、プリンタ２を介した印刷物の取得といった機能をユーザに提供する、画像データ入力部としてのアプリケーション１２と、アプリケーション１２により作成されたドキュメントの記述内容に基づき印刷データを生成するプリンタドライバ１３と、プリンタドライバ１３が有するＵＩ（User Interface）を図示せぬ表示手段を介して表示する表示部１７と、表示部１７に表示されたＵＩを介して入力、設定された印刷設定の履歴を印刷設定管理情報として記憶する印刷設定履歴記憶部１６と、生成された印刷データをスプールするプリントスプーラ１４と、ネットワーク９０を介してプリンタ２と相互通信を行う通信部１５とを備える。
【００１４】
また、プリンタドライバ１３は、ユーザが印刷設定を行うためのＵＩを提供し、印刷設定履歴記憶部１６が記憶する印刷設定の履歴を管理、編集する印刷設定管理部１３１と、印刷設定に基づき印刷データを加工する印刷データ生成部１３２とを備える。
【００１５】
次に、プリンタ２の構成について説明する。図３は、プリンタ２の機能構成を説明するための機能ブロック図である。
【００１６】
プリンタ２は、演算装置であるＣＰＵ（Central Processing Unit）、当該ＣＰＵにて動作させるプログラム、データを一時的に記憶する読み書き可能な揮発性メモリ、プログラムで使用される設定情報を記憶するための不揮発性メモリ、入出力ポート、及びタイマ等を備えた制御基板８０を備える。制御基板８０は、各構成部に対して指令を出力することにより、印刷データに基づく画像を記録媒体に印刷するプロセスを制御する。
【００１７】
このような制御基板８０は、ネットワーク９０と接続された通信部８２と、通信部８２と接続された印刷制御部８１と、印刷制御部８１と接続されたセット印刷設定取得部８３及び印刷データ記憶部８４とを備える。
【００１８】
印刷制御部８１は、通信部８２を介して印刷データを取得すると、印刷データ記憶部８４に当該印刷データを格納させる。また、印刷制御部８１は、印刷データ記憶部８４に記憶させた印刷データに含まれる画像データに対して所定のデータ処理を施し、印刷部８５に対して印刷動作の指示を出力する。
【００１９】
通信部８２は、ネットワーク９０を介してＰＣ１から送信された印刷データを受信し、受信した印刷データを印刷制御部８１に出力する。
【００２０】
セット印刷設定取得部８３は印刷データに複数のセットの印刷設定が含まれる場合に、これを取得し、印刷制御部８１に出力する。
【００２１】
印刷データ記憶部８４は、例えば、ＲＡＭ（Random Access Memory）等の読み書き可能な揮発性メモリを備え、印刷制御部８１の指示に基づき、通信部８２が受信した印刷データを一時的に格納する。
【００２２】
印刷部８５は、例えば、電子写真方式の印刷エンジンを備え、印刷制御部８１の指示に基づき、印刷データに基づく画像を記録媒体に印刷する。
【００２３】
次に、上記構成を備えた本実施形態の動作について説明する。
【００２４】
まず、ユーザがＰＣ１のアプリケーション１２を使用してドキュメントを作成し、印刷動作を実行すると、アプリケーション１２は、図示せぬ印刷ダイアログを表示部１７に表示させる。このとき表示される印刷ダイアログには、プリンタドライバ１３の印刷設定管理部１３１が有する印刷設定用のＵＩが含まれる。
【００２５】
図４は、プリンタドライバ１３の印刷設定管理部１３１が有する印刷設定ダイアログの部数印刷設定画面３０の構成例の一例を説明する図である。
【００２６】
図示せぬ部数設定用のＵＩを介して印刷対象の部数が２部以上、すなわち複数部数設定されると、部数印刷設定画面３０の"部毎の設定を行う"ＵＩ３１が設定可能となる。そして、ユーザにより"部毎の設定を行う"ＵＩ３１がオンにされると、部数印刷の印刷設定を部毎に変更するための"セット印刷設定．．．"ＵＩ３２が設定可能となる。さらに、ユーザにより"セット印刷設定．．．"ＵＩ３２が選択されると、印刷設定管理部１３１は、図５に示すセット印刷設定画面４０を表示部１７を介して表示させる。
【００２７】
図５は、プリンタドライバ１３の印刷設定管理部１３１が有する印刷設定ダイアログのセット印刷設定画面４０の構成例の一例を説明する図である。
【００２８】
セット印刷設定画面４０は、ユーザに対して複数部数出力される印刷ジョブの部単位での印刷設定を変更する機能を提供する。さらに、セット印刷設定画面４０は、ユーザに対して過去に印刷した印刷設定を呼び出し、現在の印刷設定と合成する機能を提供する。
【００２９】
セット印刷設定画面４０を表示させる際、印刷設定管理部１３１は、ユーザにより設定済みの印刷設定を印刷設定表示領域４１に表示させる。このとき、印刷設定管理部１３１は、デフォルトの印刷設定値から変更された印刷設定を強調表示する。そして、印刷設定管理部１３１は、ユーザによるセット追加ボタン４２の押下を受け、セット表示領域４３に新しいセットを表示させる。ここで表示される新しいセットには、ユーザにより既に設定された印刷設定が引き継がれており、印刷設定管理部１３１は、新しいセットの印刷設定を追加印刷設定領域４４に表示させる。
【００３０】
図６は、ユーザによる図５のセット印刷設定画面４０におけるセット追加ボタン４２の２回押下を受けて、印刷設定管理部１３１がセット表示領域４３に新しいセット２及びセット３を追加して表示させたセット印刷設定画面５０の構成例の一例である。セット印刷設定画面５０は印刷履歴参照ボタン５１を備えており、ユーザにより当該印刷履歴参照ボタン５１が押下されると、印刷設定管理部１３１は、過去の印刷に適用された印刷設定を呼び出すためのメニュー画面を表示させる。
【００３１】
図７は、ユーザによる印刷履歴参照ボタン５１の押下を受けて、印刷設定管理部１３１が表示させる印刷設定履歴を参照するためのメニュー画面の構成例の一例である。ユーザにより印刷設定値が変更されている場合、メニュー画面においては"カスタム"メニュー６２が選択可能となる。ここで、ユーザにより"デフォルト"メニュー６１が選択されると、印刷設定管理部１３１は、既に変更されている印刷設定の値をデフォルトの値に戻す。また、ユーザにより"印刷履歴を参照"メニュー６３が選択されると、印刷設定管理部１３１は、印刷履歴参照画面７０を表示させる。
【００３２】
図８は、ユーザによる"印刷履歴を参照"メニュー６３の選択を受けて、印刷設定管理部１３１が表示させる印刷履歴参照画面７０の構成例の一例である。印刷履歴参照画面７０は、印刷設定履歴表示領域７１と"設定を呼び出す"ボタン７２とを備える。印刷設定履歴表示領域７１には、印刷設定管理部１３１が印刷設定履歴記憶部１６から取得した印刷設定管理情報が表示される。ここで、図９を用いて印刷設定履歴記憶部１６が記憶する印刷設定管理情報について説明する。図９に示すように、印刷設定管理情報には印刷日時、印刷を実行したユーザ名、ホスト名、ドキュメント名、アプリケーション名、及び印刷設定が保持される。印刷設定管理部１３１は、ユーザが印刷を実行する度に、印刷設定履歴記憶部１６に印刷設定を記憶させるため、印刷設定管理情報には複数の印刷設定が保持されることになる。
【００３３】
再び図８に戻り、ユーザが印刷履歴参照画面７０の印刷履歴表示領域７１において、目的の印刷設定を選択し、"設定を呼び出す"ボタン７２を押下すると、印刷設定管理部１３１は、印刷履歴参照画面７０の表示を終了させ、ユーザにより選択された印刷設定を現在の印刷設定に反映させるとともに、図６に示したセット印刷設定画面５０の印刷設定表示領域４１に表示させる。
【００３４】
そして、ユーザがセット印刷設定画面５０の"設定のセットを保存．．．"ボタン５４を押下すると、印刷設定管理部１３１は、複数のセットの印刷設定の全てを１つの複合印刷設定として記憶させる。ところで、複数のセットの印刷設定を読み出す場合、ユーザは、"設定のセットを参照．．．"ボタン５３を押下する。"設定のセットを参照．．．"ボタン５３の押下を受け、印刷設定管理部１３１は、図８に示した印刷履歴参照画面７０の印刷履歴表示領域７１に複合印刷設定のリストを表示させる。ユーザが目的の複合印刷設定を選択し、"設定を呼び出すボタン"７２を押下すると、セット印刷設定画面５０の印刷設定表示領域４１及び追加印刷設定表示領域４４にユーザにより選択された複合印刷設定を表示させるとともに、セット表示領域４３にセット名を表示させる。
【００３５】
そして、ユーザがＯＫボタン５５を押下すると、印刷設定管理部１３１はセット印刷設定画面５０の表示を終了させる。印刷設定管理部１３１は、図４に示した部数印刷設定画面３０のセット印刷設定概要表示領域３３に複合印刷設定の設定内容を表示させる。次に、ユーザがプリントボタン３９を押下すると、印刷設定管理部１３１は、ユーザが設定した複合印刷設定を印刷設定履歴記憶部１６に記憶させるとともに、当該設定内容をアプリケーション１２に出力する。アプリケーション１２は、入力された複合印刷設定とドキュメントに基づく画像データとをプリントスプーラ１４にスプールさせる。そして、プリントスプーラ１４はプリンタドライバ１３の印刷データ生成部１３２を呼び出す。
【００３６】
図１０は印刷データ生成部１３２の動作を説明するフローチャートである。印刷データ生成部１３２は、画像データを取得し（ステップＳ１）、次いで複合印刷設定を取得すると（ステップＳ２）、取得した複合印刷設定に複数のセットの印刷設定が含まれているか否かを確認する。ここで、複数のセットの印刷設定が含まれていない場合（ステップＳ３  １）、印刷データ生成部１３２は、従来通りの印刷設定(図５に示すセット１)を取得し（ステップＳ４）、その印刷設定を基に画像データ用の印刷設定コードを出力する（ステップＳ５）。一方、複数のセットの印刷設定（図６に示すセット１，セット２，セット３）が含まれている場合（ステップＳ３  ２以上）、印刷データ生成部１３２は、複数のセットの印刷設定を基に画像データ用の印刷設定コードを出力する（ステップＳ５）。
【００３７】
そして、ステップＳ７において、印刷データ生成部１３２は残セットの有無を確認し、残セットが無ければ（ステップＳ７  ない）、印刷設定コードと画像データとを結合した印刷データをプリントスプーラ１４に出力する（ステップＳ８）。一方、残セットがある場合（ステップＳ７  ある）、印刷データ生成部１３２は、ステップＳ３からの処理を繰り返す。
【００３８】
印刷データが再度戻されたプリントスプーラ１４は、印刷データを通信部１５に出力する。印刷データの入力を受け、通信部１５は当該印刷データをプリンタ２に対して送信する。通信部１５を介して印刷データを受信したプリンタ２は、受信した印刷データに基づく画像を記録媒体に印刷する。
【００３９】
図１１は、プリンタ２が受信する印刷データ１００の構造を説明する図である。印刷データ１００は、図６で示したセット１の印刷設定１０１を含み、セット２の印刷設定１０２、セット３の印刷設定が順に続き、印刷設定以降に画像データ１１０が配置される構造となっている。
【００４０】
図１２は、図１０のステップＳ５において、印刷データ生成部１３２が出力する印刷設定コードの構造を説明する図である。図１２に示す例におけるセット１の印刷設定１０１は、セット印刷設定の開始を示すコードと終了を示すコードとを含み、その両コードの間にセット１に適用される印刷設定コードが含まれる。また、セット２の印刷設定１０２も同様に、セット印刷設定の開始を示すコードと終了を示すコードとを含み、その両コードの間にセット２に適用される印刷設定コードが含まれる。セット３以降の印刷設定もセット１又はセット２と同様な構造である。
【００４１】
最後に、印刷データ１００を受信したプリンタ２が実行する動作について図１３を用いて説明する。図１３は、プリンタ２のセット印刷設定に関わるフローチャートである。
【００４２】
印刷制御部８１のセット印刷設定取得部８３は、印刷データ記憶部８４に記憶した印刷データ１００を取得し（ステップＳ１０１）、当該印刷データ１００に含まれる複合印刷設定たる印刷設定情報を取得する(ステップＳ１０２)。
【００４３】
印刷設定情報がセット印刷でなければ、すなわち、取得した印刷設定情報に複数のセットの印刷設定が含まれていない場合（ステップＳ１０３  Ｎｏ）、セット印刷設定取得部８３はその旨を印刷制御部８１に通知し、処理を終了する。印刷制御部８１は、図５に示したセット１のような通常の印刷設定を基に（ステップＳ１０４）、画像データを加工し（ステップＳ１０５）、印刷部８５に出力することで印刷動作を開始させる。（ステップＳ１０７）。一方、取得した印刷設定情報に複数のセットの印刷設定が含まれている場合（ステップＳ１０３  Ｙｅｓ）、セット印刷設定取得部８３は、複数のセットの印刷設定を取得し、これを印刷制御部８１に出力する（ステップＳ１０５）。印刷制御部８１は、図６に示したセット１，セット２，セット３のような印刷設定を基に（ステップＳ１０４）、画像データを加工し（ステップＳ１０５）、印刷部８５に出力することで印刷動作を開始させる。（ステップＳ１０７）。そして、セット印刷設定取得部８３は、印刷データ記憶部８４に未処理の複数のセットの印刷設定が残っている場合には(ステップＳ１０８  ある)、ステップＳ１０３からの処理を繰り返し、未処理の複数のセット印刷設定が残っていなかった場合には一連の処理を終了する（ステップＳ１０８  ない）。
【００４４】
以上のように、第１の実施形態によれば、複数のセットの印刷設定を印刷設定の履歴から参照できるように構成したため、複数のセットの印刷設定を少ない手間で行うことができ、使い勝手を向上させることができる。
【００４５】
[第２の実施形態]
第２の実施形態は、印刷設定管理部１３１が印刷設定履歴記憶部１６に記憶されている印刷設定管理情報を読み込むとき、印刷設定を優先パラメータと非優先パラメータとに分け、非優先パラメータのみを印刷設定値の変更が可能なパラメータとして反映させることに特徴を有する。以下の説明では、第１の実施形態と異なる箇所についてのみ説明する。
【００４６】
第１の実施形態の図８で説明した動作と同様に、ユーザが印刷履歴参照画面７０の印刷履歴表示領域７１において、目的の印刷設定を選択し、"設定を呼び出す"ボタン７２を押下すると、印刷設定管理部１３１は、印刷履歴参照画面７０の表示を終了させ、ユーザにより選択された印刷設定を現在の印刷設定に反映させるとともに、図６に示したセット印刷設定画面５０の印刷設定表示領域４１に表示させる。本実施形態においては、図１４に示すように、印刷設定表示領域４１に表示される印刷設定のうち、印刷設定値の変更が不可能な優先パラメータ５２は、当該印刷設定値がロックされ、変更不可である旨を示す鍵マークとともに表示される。
【００４７】
そして、印刷設定管理部１３１が印刷設定履歴記憶部１６に記憶されている印刷設定管理情報を呼び出し、表示させる印刷設定履歴を参照するためのメニュー画面は、図１５に示されるように、参照している印刷設定履歴を識別可能な項目６４を選択可能な状態として表示する。また、セット２以降が追加されると、ユーザにより選択されたもの以外のセット名６５がメニューに追加され、ユーザが当該セット名６５を選択すると、選択されたセットの優先パラメータ以外の非優先パラメータが印刷設定値を変更可能なパラメータとして印刷設定に反映される。
【００４８】
以上のように、第２の実施形態によれば、第１の実施形態の効果に加え、印刷設定履歴における印刷設定のうち、印刷設定値が設定済みの印刷設定を優先パラメータとして承継することが可能となるように構成したため、変更不要な印刷設定に係る手間を減らすことが可能であるため、使い勝手をより向上させることができる。
【００４９】
本発明の説明においては、画像処理装置としてＰＣを一例にして説明したが、本発明は、これに限定されず、画像形成装置たるプリンタ本体、複写機、ＭＦＰ等に対しても本発明を適用することは可能である。
【００５０】
また、本発明の説明における印刷データ１００は、図６で示したセット１の印刷設定１０１を含み、セット２の印刷設定１０２、セット３の印刷設定が順に続き、印刷設定以降に画像データ１１０が配置される構造となったものについて説明したが、これに限定されず、例えば、図１６（ａ）に示す印刷データ２００のように、印刷設定２０１の直後に画像データ２１０が配置され、その後に印刷設定２０２が続くといった構造でもかまわない。また、図１６（ｂ）に示す印刷データ３００のように、印刷設定３０１と、プリンタが連続したジョブと認識することが可能となるように付与された連続ジョブＩＤ３０５と、画像データ３１０とを有する構造のものを複数のジョブとして送信する形態としてもかまわない。
【符号の説明】
【００５１】
１  ＰＣ
２  プリンタ
１１  印刷管理部
１２  アプリケーション
１３  プリンタドライバ
１４  プリントスプーラ
１５  通信部
１６  印刷設定履歴記憶部
１７  表示部
８０  制御基板
８１  印刷制御部
８２  通信部
８３  セット印刷設定取得部
８４  印刷データ記憶部
８５  印刷部
９０  ネットワーク
１３１  印刷設定管理部
１３２  印刷データ生成部
【図１】
2015095166.tif 000003
【図２】
2015095166.tif 000004
【図３】
2015095166.tif 000005
【図４】
2015095166.tif 000006
【図５】
2015095166.tif 000007
【図６】
2015095166.tif 000008
【図７】
2015095166.tif 000009
【図８】
2015095166.tif 000010
【図９】
2015095166.tif 000011
【図１０】
2015095166.tif 000012
【図１１】
2015095166.tif 000013
【図１２】
2015095166.tif 000014
【図１３】
2015095166.tif 000015
【図１４】
2015095166.tif 000016
【図１５】
2015095166.tif 000017
【図１６】
2015095166.tif 000018